(57)【要約】      （修正有）【課題】必要とする部材が少なく、保護効果大、作業効率が良い。【解決手段】建造物の窓枠及び開口枠の突出部６に、テープ等の粘着材を一切使わずにはめこみのみで固定する事を可能とした窓枠、または開口枠の保護材（養生材）で、Ｌ字型２の一端の内側にテーパーを設け、此れに適度な長さの引掛かりを持たせ下部３とし、コの字型で材質の応力を利用して、コの字型の内側に建造物の窓枠・開口部の突出部６を挟み込むように、はめ込み式で固定して使用し、またコの字型の上部に衝撃吸収性を持つ適度な厚みのシートを天板部１として一体化させる事により、単独で建造物の窓枠及び開口部の保護（養生）が必要な幅（天板の奥行き）や形状に作業現場で直ちに対処・加工を可能とした天板付窓枠・開口枠養生材である。この時サッシ４までを被覆することが必要である。【選択図】図２
0003109222.tif 000002
【実用新案登録請求の範囲】
【請求項１】
本考案は、建造物の窓枠及び開口枠の突出部に、テープ等の粘着材を一切使わずにはめ込みのみで固定する事を可能とした窓枠、または開口枠の保護材（養生材）で、Ｌ字型の一端の内側にテーパーを設け下部とし、此れに適度な長さの引掛かりを持たせたコの字型で、材質の応力を利用して、コの字型の内側に建造物の窓枠・開口部の突出部を挟み込むように、はめ込み式で固定して使用し、またコの字型の上部に厚みのある衝撃吸収性を持つシートを一体化させる事により、単独で建造物の窓枠及び開口部の保護（養生）が必要な幅（天板の奥行き）や形状に作業現場で直ちに対処・加工を可能とした天板付窓枠・開口枠養生材である
【考案の詳細な説明】
本考案は、建造物の窓枠及び開口枠の突出部に、テープ等の粘着材を一切使わずにはめ込みのみで固定する事を可能とした窓枠・開口枠の保護材（養生材）で、Ｌ字型の一端の内側にテーパーを設け下部とし、此れに適度な長さの引掛かりを持たせたコの字型で、材質の応力を利用して、コの字型の内側に建造物の窓枠・開口部の突出部を挟み込むように、はめ込み式で固定して使用し、またコの字型の上部に厚みのある衝撃吸収性を持つシートを天板部として一体化させる事により、単独で建造物の窓枠及び開口部の保護（養生）が必要な幅（天板の奥行き）や形状に作業現場で直ちに対処・加工を可能とした天板付窓枠・開口枠養生材である。
【発明の名称】
天板付窓枠・開口枠養生材
【技術分野】
【０００１】建造物の窓枠及び開口枠の突出部に、はめ込みのみで固定する事を可能とした窓枠・開口枠の保護材（養生材）で、材質の応力を利用して、コの字型の内側に建造物の窓枠または、開口部の突出部を挟み込むように固定して使用し、コの字型の上部に衝撃吸収性を持つシートを天板部として一体化させた、天板付窓枠・開口枠養生材に関する考案である。
【背景技術】
【０００２】従来の技術ではＬ字型の硬質な保護（養生）カバーに他の部材としてダンボールや紙等、または硬質な板状の物（プラベニア等）を加工し、テープで貼り付けて、必要な幅（天板の奥行き）や形状を被覆し保護（養生）していた為、いくつもの部材を必要とし、ずれたり、破れたりして、保護効果が十分でなかったり、作業現場での加工がし難く、作業効率が悪い等の欠点があった。
【考案の開示】
【発明が解決しょうとする課題】
【０００３】この改善として、はめ込み式にする事でテープ等の粘着剤を一切使わずに窓枠・開口枠の突出部の保護（養生）を可能とする。また、加工しやすい適度な軟性があり、衝撃吸収性を持つシートを天板部として一体化する事で窓枠・開口枠の幅（天板の奥行き）を単独で被覆出来、仕事効率を上げる事を可能とし、繰り返し利用できるだけの強度を持たせ、使用後の処理でダイオキシン等の環境汚染の一因とならない為のリサイクル使用できるよう材質にも配慮が必要である。
【０００４】解決しょうとする課題は、建造物完成までの長期間、Ｌ字型以外の部分の保護として、紙やダンボール等または、硬質な板状の物（プラベニア等）を粘着テープ等で張り合わせて保護材として使用していたが、紙製の物ではずれたり、破れたりし易く衝撃による傷やヘコミに弱く、また硬質の物では加工がし難く、撤去後の粘着材の跡や、建造物の窓枠・開口枠の本体表面の剥がれによる修復が必要となっていた。
また、使用済みの後の処理としては、リサイクルもしくは、繰り返し使用が難しく、ダイオキシン等の環境汚染の一因となっていた。
【課題を解決するための手段】
【０００５】本考案は、建造物の窓枠及び開口枠の突出部に、テープ等の粘着材を一切使わずにはめこみのみで固定する事を可能とした窓枠・開口枠の保護材（養生材）で、Ｌ字型の一端の内側にテーパーを設け下部とし、此れに適度な長さの引掛かりを持たせたコの字型で、材質の応力を利用して、コの字型の内側に建造物の窓枠・開口部の突出部を挟み込むように、はめ込み式で固定して使用し、またコの字型の上部に衝撃吸収性を持つ適度な厚みのシートを天板部として一体化させる事により、単独で建造物の窓枠及び開口部の保護（養生）が必要な幅（天板の奥行き）や形状に作業現場で直ちに対処・加工を可能とした天板付窓枠・開口枠養生材である。
【考案の効果】
【０００６】本発明の効果として形状をＬ字型からコの字型に変化させた事により材質の横領による挟み込みのみで固定可能とし、撤去後のテープ等粘着材による汚れや、建造物本体表面の剥がれの心配がなく、コの字型の上部に衝撃緩衝材としてのシートを天板部として一体化させたことで、衝撃による傷やへこみからの十分な保護（養生）効果を発揮し、単独で簡単に作業出来る事により作業効率を上げることが可能である。特に窓枠・開口枠の幅（天板の奥行き）のある出窓や、湾曲・柱等を設けてあるような変則的な窓枠・開口枠には、効果的である。また、材質に塩化ビニル等を使用せずポリプロピレン等を使用する事によりダイオキシン等の環境汚染を抑制可能とする。
【実施例】
【０００７】〔図１〕に示した如く、硬質のＬ字型の保護材「２」（養生材）の一端を内側にペーパーを付けて適度な長さの引っかかりを設けて「３」、コの字型の下部とする。
コの字型の上部に衝撃緩衝材としての厚みのあるシートを天板部として一体化して窓枠・開口枠の幅（天板の奥行き）を保護（養生）する為の天板付窓枠・開口枠養生材である。【０００８】窓枠・開口枠の突出部「６」にはめ込んで、〔図２〕に示した如く使用する事で、テープ等の粘着材を一切使用せずに硬質なコの字型部「２」「３」で窓枠・開口枠の突出部「６」を材質の応力を利用して固定でき、上部に一体化させた衝撃吸収性を持つ天板部「１」が、衝撃緩衝材の働きをする事で、他の部材を必要とせず単独で窓枠・開口枠の幅（天板の奥行き）の保護（養生）する事を可能とした天板付窓枠・開口枠養生材である。
【図面の簡単な説明】
【０００９】
【符号の説明】
【００１０】１．天板部（衝撃緩衝性を持つシート部）
２．Ｌ字型の硬質な保護（養生）カバー
３．Ｌ字型の一端の内側にテーパーを付けた引っ掛かり部
４．サッシ
５．壁
６．窓枠・開口枠の突出部
【図１】
0003109222.tif 000003
【図２】
0003109222.tif 000004
【手続補正書】
【提出日】平成17年1月5日(2005.1.5)
【手続補正２】
【補正対象書類名】明細書
【補正対象項目名】全文
【補正方法】変更
【補正の内容】
【考案の詳細な説明】
本考案は、建造物の窓枠及び開口枠の突出部に、テープ等の粘着材を一切使わずにはめ込みのみで固定する事を可能とした窓枠・開口枠の保護材（養生材）で、Ｌ字型の一端の内側にテーパーを設け下部とし、此れに適度な長さの引掛かりを持たせたコの字型で、材質の応力を利用して、コの字型の内側に建造物の窓枠・開口部の突出部を挟み込むように、はめ込み式で固定して使用し、またコの字型の上部に厚みのある衝撃吸収性を持つシートを天板部として一体化させる事により、単独で建造物の窓枠及び開口部の保護（養生）が必要な幅（天板の奥行き）や形状に作業現場で直ちに対処・加工を可能とした天板付窓枠・開口枠養生材である。
【技術分野】
【０００１】建造物の窓枠及び開口枠の突出部に、はめ込みのみで固定する事を可能とした窓枠・開口枠の保護材（養生材）で、材質の応力を利用して、コの字型の内側に建造物の窓枠または、開口部の突出部を挟み込むように固定して使用し、コの字型の上部に衝撃吸収性を持つシートを天板部として一体化させた、天板付窓枠・開口枠養生材に関する考案である。
【背景技術】
【０００２】従来の技術ではＬ字型の硬質な保護（養生）カバーに他の部材としてダンボールや紙等、または硬質な板状の物（プラベニア等）を加工し、テープで貼り付けて、必要な幅（天板の奥行き）や形状を被覆し保護（養生）していた為、いくつもの部材を必要とし、ずれたり、破れたりして、保護効果が十分でなかったり、作業現場での加工がし難く、作業効率が悪い等の欠点があった。
【考案の開示】
【考案が解決しょうとする課題】
【０００３】この改善として、はめ込み式にする事でテープ等の粘着剤を一切使わずに窓枠・開口枠の突出部の保護（養生）を可能とする。また、加工しやすい適度な軟性があり、衝撃吸収性を持つシートを天板部として一体化する事で窓枠・開口枠の幅（天板の奥行き）を単独で被覆出来、仕事効率を上げる事を可能とし、繰り返し利用できるだけの強度を持たせ、使用後の処理でダイオキシン等の環境汚染の一因とならない為のリサイクル使用できるよう材質にも配慮が必要である。
【０００４】解決しょうとする課題は、建造物完成までの長期間、Ｌ字型以外の部分の保護として、紙やダンボール等または、硬質な板状の物（プラベニア等）を粘着テープ等で張り合わせて保護材として使用していたが、紙製の物ではずれたり、破れたりし易く衝撃による傷やヘコミに弱く、また硬質の物では加工がし難く、撤去後の粘着材の跡や、建造物の窓枠・開口枠の本体表面の剥がれによる修復が必要となっていた。
また、使用済みの後の処理としては、リサイクルもしくは、繰り返し使用が難しく、ダイオキシン等の環境汚染の一因となっていた。
【課題を解決するための手段】
【０００５】本考案は、建造物の窓枠及び開口枠の突出部に、テープ等の粘着材を一切使わずにはめこみのみで固定する事を可能とした窓枠・開口枠の保護材（養生材）で、Ｌ字型の一端の内側にテーパーを設け下部とし、此れに適度な長さの引掛かりを持たせたコの字型で、材質の応力を利用して、コの字型の内側に建造物の窓枠・開口部の突出部を挟み込むように、はめ込み式で固定して使用し、またコの字型の上部に衝撃吸収性を持つ適度な厚みのシートを天板部として一体化させる事により、単独で建造物の窓枠及び開口部の保護（養生）が必要な幅（天板の奥行き）や形状に作業現場で直ちに対処・加工を可能とした天板付窓枠・開口枠養生材である。
【考案の効果】
【０００６】本発明の効果として形状をＬ字型からコの字型に変化させた事により材質の横領による挟み込みのみで固定可能とし、撤去後のテープ等粘着材による汚れや、建造物本体表面の剥がれの心配がなく、コの字型の上部に衝撃緩衝材としてのシートを天板部として一体化させたことで、衝撃による傷やへこみからの十分な保護（養生）効果を発揮し、単独で簡単に作業出来る事により作業効率を上げることが可能である。特に窓枠・開口枠の幅（天板の奥行き）のある出窓や、湾曲・柱等を設けてあるような変則的な窓枠・開口枠には、効果的である。また、材質に塩化ビニル等を使用せずポリプロピレン等を使用する事によりダイオキシン等の環境汚染を抑制可能とする。
【実施例】
【０００７】［図１］に示した如く、硬質のＬ字型の保護材「２」（養生材）の一端を内側にペーパーを付けて適度な長さの引っかかりを設けて「３」、コの字型の下部とする。
コの字型の上部に衝撃緩衝材としての厚みのあるシートを天板部として一体化して窓枠・開口枠の幅（天板の奥行き）を保護（養生）する為の天板付窓枠・開口枠養生材である。【０００８】窓枠・開口枠の突出部「６」にはめ込んで、［図２］に示した如く使用する事で、テープ等の粘着材を一切使用せずに硬質なコの字型部「２」「３」で窓枠・開口枠の突出部「６」を材質の応力を利用して固定でき、上部に一体化させた衝撃吸収性を持つ天板部「１」が、衝撃緩衝材の働きをする事で、他の部材を必要とせず単独で窓枠・開口枠の幅（天板の奥行き）の保護（養生）する事を可能とした天板付窓枠・開口枠養生材である。
【図面の簡単な説明】
【０００９】
【図１】側面図・・・硬質のＬ字型の保護材「２」（養生材）の一端を内側にペーパーを付けて適度な長さの引っかかりを設けて「３」、コの字型の下部とする。コの字型の上部に衝撃緩衝材としての厚みのあるシートを天板部「１」として一体化して窓枠・開口枠の幅（天板の奥行き）を保護（養生）する。
【図２】実施例１・・・窓枠・開口枠の突出部「６」にはめ込んで使用し、硬質なコの字型部「２」「３」で窓枠・開口枠の突出部「６」を材質の応力を利用して固定でき、上部に一体化させた衝撃吸収性を持つ天板部「１」が、衝撃緩衝材の働きをする事で、他の部材を必要とせず単独で窓枠・開口枠の幅（天板の奥行き）の保護（養生）する。
【符号の説明】
【００１０】１．天板部（衝撃緩衝性を持つシート部）
２．Ｌ字型の硬質な保護（養生）カバー
３．Ｌ字型の一端の内側にテーパーを付けた引っ掛かり部
４．サッシ
５．壁
６．窓枠・開口枠の突出部